(57)【要約】【課題】  コンパクトかつ軽量で気軽に着ることができながら、肩まわりを効果的に冷やさない肩かけベストを提供すること。【解決手段】  左右分割の前身頃２，３と後ろ身頃４とを備え、かつ、肩線部分ａ，ａと脇線部分ｂ，ｂとが一体的に連続する肩かけベスト本体１０を保温性に優れた生地により形成する。左右前身頃２，３の分割部分に、該分割部分を開閉可能とするファスナー５を設けると共に、左右前身頃２，３と後ろ身頃４の肩線部分ａから裾ｃまでの長さを、バストＢよりも下方でウェストＷよりも上方となるように通常の着丈Ｚの長さよりも短い寸法に形成した。【選択図】図２
0003124152.tif 000002
【実用新案登録請求の範囲】
【請求項１】
左右分割の前身頃と後ろ身頃とを備え、かつ、肩線部分と脇線部分とが一体的に連続する肩かけベスト本体を保温性に優れた生地により形成する一方、左右前身頃の分割部分に、該分割部分を開閉可能とする開閉手段を設けると共に、上記左右前身頃と後ろ身頃の肩線部分から裾までの長さを、バストよりも下方でウェストよりも上方となるように通常の着丈よりも短い寸法に形成したことを特徴とする肩かけベスト。
【考案の詳細な説明】
【技術分野】
【０００１】  本考案は、肩まわりの冷えを防止するための肩かけベストに関する。
【背景技術】
【０００２】  一般に、寝巻や下着を着た状態で布団に入って寝るとき、気温が低い場合には、上布団や毛布を肩一杯に覆いかけて肩や腕等が冷えないようにしたうえで寝るようにしている。また、薄着で生活しているとき、気温が低く感じられた場合には、厚手の重い長袖などを薄着の上に重ね着するようにしている。
【考案の開示】
【考案が解決しようとする課題】
【０００３】  しかし、寝巻や下着姿で布団に入って寝るとき、肩まわりの冷えを防止するために肩まわり部分が布団から出ないよう上布団や毛布で完全に覆うといったこと自体が非常に面倒であるし、ましてや、その覆った状態を一晩中維持するというのはきわめて困難である。そのため、気温が低い場合に、肩まわり部分が上布団や毛布から露出したまま寝てしまって、肩まわりを冷やしてしまう問題があった。また、薄着で生活しているときに、気温が低く感じられて、わざわざ厚手の重い長袖などを薄着の上に重ね着すると、厚着のために動きが悪くなったり、暖かくなり過ぎてすぐに脱がないといけないといった問題も有していた。【０００４】  そこで、本考案は、コンパクトかつ軽量で気軽に着ることができながら、肩まわりを効果的に冷やさない肩かけベストの提供を課題とする。
【課題を解決するための手段】
【０００５】  上記問題を解決するため本考案は、左右分割の前身頃と後ろ身頃とを備え、かつ、肩線部分と脇線部分とが一体的に連続する肩かけベスト本体を保温性に優れた生地により形成する一方、左右前身頃の分割部分に、該分割部分を開閉可能とする開閉手段を設けると共に、上記左右前身頃と後ろ身頃の肩線部分から裾までの長さを、バストよりも下方でウェストよりも上方となるように通常の着丈の長さよりも短い寸法に形成したことを特徴とする。
なお、ここで通常の着丈とは、後ろ身頃の衿の中央部分からウェストまで長さのことをいう。【０００６】  本考案によれば、左右分割の前身頃と後ろ身頃とを備え、かつ、肩線部分と脇線部分とが一体的に連続する肩かけベスト本体を保温性に優れた生地により形成する一方、左右分割の前身頃と後ろ身頃の肩線部分から裾までの長さを、バストよりも下方でウェストよりも上方となるように通常の着丈の長さよりも短い寸法に形成したから、コンパクトかつ軽量でパジャマや下着或いは薄手の洋服の上に気軽に着ることができ、これにより、布団に入って寝るとき、肩まわり部分が布団から出ないよう上布団や毛布で完全に覆ったりしなくても、肩かけベストで肩まわりが冷えるのを効果的に防止することができる。また、肩かけベストを薄手の洋服の上にも気軽に普段着として着ることができるので、肩かけベストを着ておけば、気温がやや低く感じられるようなときにわざわざ厚手の重い長袖などを薄着の上に重ね着しなくともよいので、厚着のために動きずらくなったり、暖かくなり過ぎてすぐに脱がないといけないといったことなく、肩まわりを冷えを効果的に防止することができる。
【考案を実施するための最良の形態】
【０００７】  以下、本考案の実施の形態を図に基づいて説明する。
図１及び図２は、本考案に係る肩かけベスト１を示し、該肩かけベスト１は左右分割の前身頃２，３と後ろ身頃４とを備え、かつ、これら身頃２，３，４の肩線部分ａ，ａと脇線部分ｂ，ｂとが一体的に連続する肩かけベスト本体１０を保温性に優れたフリース、厚手の綿、ネル等の生地により形成されている。なお、上記身頃２，３，４の肩線部分ａ，ａと脇線部分ｂ，ｂは一体で連続していてもよいし、又縫製して連続するようにしてもよい。【０００８】  そして、肩かけベスト本体１０における左右前身頃２，３の分割部分には、該分割部分を開閉可能とするファスナー５が設けられると共に、上記左右前身頃２，３と後ろ身頃４の肩線部分ａから裾ｃまでの長さＸ，Ｙを，バストＢよりも下方でウェストＷよりも上方となるように通常の着丈（ここで通常の着丈とは、後ろ身頃の衿の中央部分からウェストまで長さのことをいう。）Ｚの長さよりも短い寸法に形成している。また、肩かけベスト本体１０の衿取付部分１１は衿がないシンプル形状となっていると共に、袖取付部分１２も凹曲線状でノースリーブ形状に縫製されている。【０００９】  以上のように本考案によれば、左右分割の前身頃２，３と後ろ身頃４とを備え、かつ、これら身頃２，３，４の肩線部分ａ，ａと脇線部分ｂ，ｂとが一体的に連続する肩かけベスト本体１０を保温性に優れた生地により形成する一方、左右分割の前身頃２，３と後ろ身頃４の肩線部分ａ，ａから裾ｃまでの長さＸ，Ｙを、バストＢよりも下方でウェストＷよりも上方となるように通常の着丈の長さＺよりも短い寸法に形成したから、コンパクトかつ軽量でパジャマや下着或いは薄手の洋服の上に気軽に着ることができ、これにより、布団に入って寝るとき、肩まわり部分が布団から出ないよう上布団や毛布で完全に覆ったりしなくても、肩かけベスト１で肩まわりが冷えるのを効果的に防止することができる。その結果、肩まわりの冷えを気にすることなく熟睡することができる。また、肩かけベスト１を薄手の洋服の上にも気軽に普段着として着ることができるので、肩かけベスト１を着ておけば、気温がやや低く感じられるようなときにわざわざ厚手の重い長袖などを薄着の上に重ね着しなくともよいので、厚着のために動きずらくなったり、暖かくなり過ぎてすぐに脱がないといけないといったことなく、肩まわりを冷えを効果的に防止することができる。【００１０】  また、袖の形状は、上記した実施の形態のようにノースリーブ形状とする他、例えば図３に示すように肩線部分を少しだけ延長した短かい袖６１，６１を有する短袖タイプのもの、或いは図４に示すように通常の半袖６２，６２を有する半袖タイプのものなど各種設定してもよい。【００１１】  また、開閉手段としても、チャックタイプのファスナー５を用いる他、このファスナー５に代えて例えば図５及び図７に示すようにボタン７を用いたり或いはマジックファスナー（図示せず）などを用いてもよいことは勿論である。【００１２】  さらに、衿の形状も図１〜図７に示すように衿がないシンプル形状とする他、例えば図８〜図１０に示すように肩線部分ａから前身頃中央ｄに向かって次第に高さが低くなる傾斜形状の衿８１を取付けたり、或いは図１１〜図１３に示すように詰め襟形状の��８２などを取付けたりしてもよい。【００１３】  以上のように、袖の形状や開閉手段及び衿の形状を各種設定すれば、使用者の好みに応じて幅広く選択して使用することができるので好ましい。
【図面の簡単な説明】
【００１４】
【図１】  本考案に係る肩かけベストの正面図である。
【図２】  同背面図である。
【図３】  袖部分の別の実施の形態を示す正面図である。
【図４】  さらに袖部分の別の実施の形態を示す正面図である。
【図５】  開閉手段の別の実施の形態を示す正面図である。
【図６】  同じく開閉手段の別の実施の形態を示す正面図である。
【図７】  さらに開閉手段の別の実施の形態を示す正面図である。
【図８】  衿部分の別の実施の形態を示す正面図である。
【図９】  同じく衿部分の別の実施の形態を示す正面図である。
【図１０】  同じく衿部分の別の実施の形態を示す正面図である。
【図１１】  同じく衿部分の別の実施の形態を示す正面図である。
【図１２】  同じく衿部分の別の実施の形態を示す正面図である。
【図１３】  さらに衿部分の別の実施の形態を示す正面図である。
【符号の説明】
【００１５】１        肩かけベスト
２        左前身頃
３        右前身頃
４        後ろ身頃
５        ファスナー
１０      肩かけベスト本体
【図１】
0003124152.tif 000003
【図２】
0003124152.tif 000004
【図３】
0003124152.tif 000005
【図４】
0003124152.tif 000006
【図５】
0003124152.tif 000007
【図６】
0003124152.tif 000008
【図７】
0003124152.tif 000009
【図８】
0003124152.tif 000010
【図９】
0003124152.tif 000011
【図１０】
0003124152.tif 000012
【図１１】
0003124152.tif 000013
【図１２】
0003124152.tif 000014
【図１３】
0003124152.tif 000015